(57)【特許請求の範囲】
【請求項１】
利用者の操作に応じて行先階の登録を受け付ける行先階登録部と、複数のエレベーターのうち前記行先階に割り当てられたエレベーターの情報を表示する表示部と、を有する複数の行先階登録装置と接続される制御装置であって、
時間帯ごとのフロアの混雑の度合いを示す混雑情報に基づいて、現在の時間に対応する混雑の度合いを前記フロアについて判定する判定部と、
前記判定部で混雑の度合いが、前記フロアがやや混んでいることを示す、第１の度合い以下であり第２の度合い以上であると判定された場合、前記フロアに設けられた行先階登録装置のうちの何れかの行先階登録部が操作されたときは、前記フロアに設けられた全ての行先階登録装置に対して、前記全ての行先階登録装置の各々の表示部への電源供給を開始する旨の指示を行い、前記全ての行先階登録装置の各々の行先階登録部の操作が所定時間行われなかったときは、前記全ての行先階登録装置の各々の表示部への電源供給を停止する旨の指示を行う制御部と、
を備えることを特徴とする制御装置。
【請求項２】
前記制御部は、
前記判定部で混雑の度合いが前記第１の度合いより大きいと判定された場合、前記フロアに設けられた全ての行先階登録装置に対して、前記全ての行先階登録装置の各々の表示部への電源供給を開始する旨の指示を行う、
ことを特徴とする請求項１に記載の制御装置。
【請求項３】
前記制御部は、
前記判定部で混雑の度合いが前記第２の度合いより小さいと判定され、前記フロアに設けられた行先階登録装置のうちの何れかの行先階登録部が操作された場合、前記行先階登録部を有する行先階登録装置に対して、前記行先階登録装置の表示部への電源供給を開始する旨の指示を行う、
ことを特徴とする請求項１または２に記載の制御装置。
【請求項４】
前記制御部は、
前記行先階登録装置の前記行先階登録部の操作が所定時間行われなかった場合、前記行先階登録装置に対して、前記行先階登録装置の前記表示部への電源供給を停止する旨の指示を行う、
ことを特徴とする請求項３に記載の制御装置。
【請求項５】
利用者の操作に応じて行先階の登録を受け付ける行先階登録部と、複数のエレベーターのうち前記行先階に割り当てられたエレベーターの情報を表示する表示部と、を有する複数の行先階登録装置と接続される制御装置が行う電源供給の制御方法であって、
時間帯ごとのフロアの混雑の度合いを示す混雑情報に基づいて、現在の時間に対応する混雑の度合いを前記フロアについて判定する第１のステップと、
前記第１のステップで混雑の度合いが、前記フロアがやや混んでいることを示す、第１の度合い以下であり第２の度合い以上であると判定された場合、前記フロアに設けられた行先階登録装置のうちの何れかの行先階登録部が操作されたときは、前記フロアに設けられた全ての行先階登録装置に対して、前記全ての行先階登録装置の各々の表示部への電源供給を開始する旨の指示を行い、前記全ての行先階登録装置の各々の行先階登録部の操作が所定時間行われなかったときは、前記全ての行先階登録装置の各々の表示部への電源供給を停止する旨の指示を行う第２のステップと、
を備えることを特徴とする電源供給の制御方法。
【発明の詳細な説明】
【技術分野】
【０００１】
本発明は制御装置に関し、例えば複数の行先階登録装置の各々の表示部への電源供給を制御する制御装置に適用して好適なものである。
【背景技術】
【０００２】
従来、エレベーターの利用者が乗車前に登録する行先階に基づいて、複数のエレベーターの運転制御が行われる群管理エレベーターシステムが知られている。【０００３】
近年、行先階の登録を受け付ける行先階登録装置と行先階および割り当て号機を表示する表示装置とが設置されたフロアごとに、全ての号機の行先階の登録が無くなったか否かを判定し、無くなったフロアにおいて、行先階登録装置の操作がなされない状態で、所定の時間が経過した場合に当該フロアの表示装置の電源供給を停止させる技術が開示されている（特許文献１）。
【先行技術文献】
【特許文献】
【０００４】
【特許文献１】特開２０１１−１０５５１８号公報
【発明の概要】
【発明が解決しようとする課題】
【０００５】
しかしながら、特許文献１に記載された技術では、例えば混雑が予想される時間帯であっても、利用者の操作がなく、表示させるべき行先階が無い状態においては、表示装置の電源供給を停止するので、利用者が利用可能な表示装置を把握できなかったり、表示装置の起動までに時間がかかったりしてしまうなど、エレベーターの利便性を損なうおそれがある。【０００６】
本発明は以上の点を考慮してなされたもので、エレベーターの利便性を向上させる制御装置を提案しようとするものである。
【課題を解決するための手段】
【０００７】
かかる課題を解決するため本発明においては、利用者の操作に応じて行先階の登録を受け付ける行先階登録部と、複数のエレベーターのうち前記行先階に割り当てられたエレベーターの情報を表示する表示部と、を有する複数の行先階登録装置と接続される制御装置であって、時間帯ごとのフロアの混雑の度合いを示す混雑情報に基づいて、現在の時間に対応する混雑の度合いを前記フロアについて判定する判定部と、前記フロアに設けられた一または複数の行先階登録装置の表示部への電源供給を前記判定部で判定された混雑の度合いに基づいて開始または停止する制御を行う制御部と、を設けるようにした。【０００８】
本発明の制御装置によれば、フロアの混雑の度合いを判定し、フロアの混雑の度合いに基づいて行先階登録装置の表示部への電源供給が制御されるので、エレベーターの利便性を向上させることができる。
【発明の効果】
【０００９】
本発明によれば、エレベーターの利便性を向上させる制御装置を実現することができる。
【図面の簡単な説明】
【００１０】
【図１】群管理エレベーターシステムの概略構成を示す図である。
【図２】群管理エレベーターシステムのブロック図である。
【図３】群管理制御装置における処理に係るフローチャートを示す図である。
【発明を実施するための形態】
【００１１】
以下図面について、本発明の一実施の形態を詳述する。
【００１２】
（１）第１の実施の形態
（群管理エレベーターシステム１００の構成）
図１は、群管理エレベーターシステム１００の概略構成を示す。群管理エレベーターシステム１００は、エレベーター号機１〜４と、行先階登録装置５〜１６と、エレベーター号機１〜４および行先階登録装置５〜１６を群管理制御する群管理制御装置１７と、を備え、各装置は、信号線等で接続されている。図１に示すように、エレベーター号機は、複数設けられ、行先階登録装置は、各フロア（各階）に複数設けられる。本実施の形態では、エレベーター号機１〜４の各々をエレベーター、行先階登録装置５〜１６の各々を行先階登録装置と適宜称する。なお、図１に示す要素（フロア、エレベーター、行先階登録装置、および群管理制御装置１７）は、一例であり、要素の数、大きさ、形、設置される位置等は、図１に示すものに限られるものではない。
【００１３】
図２は、群管理エレベーターシステム１００の構成を示す。行先階登録装置５〜１６の各々は、タッチパネル入力可能なデバイス、キーパッド入力可能なデバイス、ゲート装置等であり、各種の情報を表示するディスプレイ（液晶ディスプレイ、プラズマディスプレイなど）、各種の情報を入力する入力装置（入力ボタン、入力アイコン、カードリーダーなど）、各種の情報を記憶するメモリ（ＲＡＭ（Random Access Memory）、ＲＯＭ（Read Only Memory）、ＨＤＤ（Hard Disk Drive）など）、各種の制御を行うコントローラ（マイコン、ＣＰＵ（Central Processing Unit）など）を備える。
【００１４】
行先階登録部１８は、例えば入力装置により実現され、エレベーターの利用者による行先階の登録（入力）に供するものであり、利用者の操作に応じて行先階の登録を受け付ける。また、行先階登録部１８は、利用者により操作が行われると、操作が行われたことを示す操作情報を群管理制御装置１７に送信する。行先階登録部１８は、行先階の登録を受け付けると、当該行先階を示す行先階情報を群管理制御装置１７に送信する。なお、群管理制御装置１７は、行先階登録装置５〜１６の各々から送信された情報（操作情報、行先階情報など）を受信し、送信元を特定可能な態様で当該情報を後述のメモリに記憶する。表示部１９は、例えばディスプレイにより実現され、行先階情報、利用者が所望する行先階が割り当てられた利用者が乗車予定のエレベーターの情報（乗車エレベーター情報）などを表示する。
【００１５】
群管理制御装置１７は、プリント基板、パーソナルコンピュータ、サーバ装置等であり、各種の情報を記憶するメモリ（ＲＡＭ、ＲＯＭ、ＨＤＤなど）、各種の制御を行うコントローラ（マイコン、ＣＰＵなど）を備え、フロアの混雑の度合いを判定し、フロアに設けられた一または複数の行先階登録装置の表示部１９への電源供給を判定した混雑の度合いに基づいて開始または停止する制御を行う。以下では、コントローラがメモリに格納された各種プログラム、混雑情報２０等を読み出して実行することで、行先階登録装置入力処理部２１、混雑レベル判定部２２、エレベーター割当制御部２３、および表示部個別電源制御部２４が実現されるものとして説明する。ただし、各部の機能の一部または全部が回路によって実現される構成であってもよいし、各部の何れかが群管理制御装置１７とは異なる他の装置（プリント基板、パーソナルコンピュータ、サーバ装置等）で実現される構成であってもよい。
【００１６】
ここで、混雑情報２０は、出勤時間帯、退勤時間帯、休憩時間帯、会議室の利用開始時間帯および終了時間帯などのイベントの状況を示す状況情報である。混雑情報２０は、フロアが混雑する度合いと時間帯とが対応付けられたもの（時間帯ごとのフロアの混雑の度合いを示すもの）であり、例えば、「１階、８：００〜１０：００、大」のように、フロアを識別可能なフロア情報、時間帯を示す時間情報、フロアの混雑レベルを示す混雑レベル情報を含んで構成される。
【００１７】
なお、フロアが混雑する時間帯は、実際に混雑する時間帯であってもよいし、実際に混雑する時間帯の前後の時間（混雑前５分、混雑後５分、混雑前後５分）を含むものであってもよい。また、実際に混雑する時間帯の前後の時間については、混雑情報２０に含まれずに、計算により算出されるものであってもよい。また、混雑情報２０は、管理者等により予め設定されて更新（保守）されるものであってもよいし、機械学習により更新されるものであってもよい。また、混雑情報２０は、予めメモリに記憶されるものであってもよいし、群管理制御装置１７とは異なる他の装置（プリント基板、パーソナルコンピュータ、サーバ装置等）に記憶されていて、他の装置から取得してメモリに格納されるものであってもよい。
【００１８】
行先階登録装置入力処理部２１は、行先階登録装置５〜１６の各々から行先階情報を受信し、混雑レベル判定部２２および表示部個別電源制御部２４に出力（通知）する。混雑レベル判定部２２は、現在の時間を示す時間情報と混雑情報２０とに基づいて、フロアごとに混雑レベルを判定する。エレベーター割当制御部２３は、混雑レベル判定部２２で判定された混雑レベルの混雑レベル情報と、行先階登録部１８の操作によって登録された行先階の行先階情報と、各エレベーターの状態情報（位置、割り当てられている行先階など）と、に基づいて、割り当てるエレベーター（利用者が乗車するエレベーター）を決定し、乗車エレベーター情報を生成し、行先階の登録を受け付けた行先階登録装置に送信する。表示部個別電源制御部２４は、混雑レベル判定部２２で判定された混雑レベルの混雑レベル情報と、行先階登録装置５〜１６（より具体的には行先階登録部１８）の各々の未操作時間を示す情報（未操作時間情報）と、に基づいて、表示部１９の電源供給の制御を行う。例えば、表示部個別電源制御部２４は、操作情報に係る時間（操作情報が生成された時間、操作情報を受信した時間、操作情報をメモリに記憶した時間など）と現在の時間とから未操作時間情報を算出可能である。
【００１９】
（群管理制御装置１７における処理）
図３は、群管理制御装置１７における処理（より具体的にはコントローラによる定期処理）の処理手順を示す。定期処理は、所定の時間（例えば４０ｍｓｅｃ）ごとに開始され、フロアごとに行われる。なお、群管理制御装置１７では、行先階登録装置５〜１６の各々からの情報（操作情報の受信など）に基づく割込処理が行われている。
【００２０】
ステップＳ１では、群管理制御装置１７は、処理対象のフロアの混雑レベルを判定し、混雑レベルが「大（大変混んでいる）」であると判定した場合、ステップＳ２に処理を移し、混雑レベルが「大」でないと判定した場合、ステップＳ３に処理を移す。より具体的には、群管理制御装置１７は、処理対象のフロアのフロア情報と現在の時間情報とに対応する混雑レベル情報を混雑情報２０から取得し、混雑レベルを判定する。
【００２１】
ステップＳ２では、群管理制御装置１７は、処理対象のフロア（当該階）の全ての表示部１９の電源供給を開始する制御を行い、処理を終了する。より具体的には、群管理制御装置１７は、処理対象のフロアの全ての行先階登録装置に対し、電源供給を開始する旨（開始指令情報、開始信号など）を送信し、電源供給を開始する旨を受信した行先階登録装置は、表示部１９への電源供給を行う。
【００２２】
例えば、出勤時間帯においては、エントランス階の混雑レベルが大きいと判定されるため、群管理制御装置１７は、当該階の全ての行先階登録装置１４〜１６の表示部１９の電源供給を開始させ、表示部１９を点灯させる。これにより、利用者が全ての行先階登録装置１４〜１６をすぐに使用できる状態と判別することができ、特定の行先階登録装置に利用者が集中することを避けることができる。また、表示部１９の再起動までの待ち時間を低減でき、行先階登録部１８による入力に対しても、表示部１９に乗車エレベーター情報が表示されるまでの時間を短縮することができる。
【００２３】
ステップＳ３では、群管理制御装置１７は、処理対象のフロアの混雑レベルを判定し、混雑レベルが「中（やや混んでいる）」であると判定した場合、ステップＳ４に処理を移し、混雑レベルが「中」でない（「小である（混んでいない）」）と判定した場合、ステップＳ８に処理を移す。
【００２４】
ステップＳ４では、群管理制御装置１７は、処理対象のフロアの行先階登録装置の何れかが操作されたか否かを判定し、操作されたと判定した場合、ステップＳ５に処理を移し、操作されていないと判定した場合、ステップＳ６に処理を移す。なお、群管理制御装置１７は、処理対象のフロアの行先階登録装置の何れかより操作情報を受信した場合、操作されたと判定する。
【００２５】
ステップＳ５では、群管理制御装置１７は、処理対象のフロアの全ての表示部１９の電源供給を開始する制御を行い、処理を終了する。
【００２６】
ステップＳ６では、群管理制御装置１７は、処理対象のフロアの全ての行先階登録装置の未操作時間が一定時間を経過したか否かを判定し、経過したと判定した場合、ステップＳ７に処理を移し、経過していないと判定した場合、処理対象のフロアの何れの行先階登録装置の表示部１９についても電源供給の制御を行うことなく、処理を終了する。
【００２７】
ステップＳ７では、群管理制御装置１７は、処理対象のフロアの全ての表示部１９の電源供給を停止する制御を行い、処理を終了する。より具体的には、群管理制御装置１７は、処理対象のフロアの全ての行先階登録装置に対し、電源供給を停止する旨（停止指令情報、停止信号など）を送信し、電源供給を停止する旨を受信した行先階登録装置は、表示部１９への電源供給を停止する。
【００２８】
ステップＳ８では、群管理制御装置１７は、処理対象のフロアの何れかの行先階登録装置の行先階登録部１８が操作されたか否かを判定し、操作されたと判定した場合、ステップＳ９に処理を移し、操作されていないと判定した場合、ステップＳ１０に処理を移す。
【００２９】
ステップＳ９では、群管理制御装置１７は、操作された行先階登録部１８を備える行先階登録装置の表示部１９のみ電源供給する制御を行い、処理を終了する。これにより、操作された行先階登録装置の表示部１９のみ電源供給され、操作されない行先階登録装置の表示部１９の電源供給は行われないので、省エネ機能を実現できる。
【００３０】
ステップＳ１０では、群管理制御装置１７は、操作された行先階登録装置の未操作時間が一定時間を経過したか否かを判定し、経過したと判定した場合、ステップＳ１１に処理を移し、経過していないと判定した場合、操作された行先階登録装置の表示部１９についての電源供給の制御を行うことなく、処理を終了する。
【００３１】
ステップＳ１１では、群管理制御装置１７は、操作された行先階登録装置の表示部１９のみ電源供給を停止する制御を行い、処理を終了する。
【００３２】
例えば、図１に示す行先階登録装置１１を利用者が操作したとき、当該階の混雑レベルが低いと判定された場合、当該階の操作されていない行先階登録装置１２，１３の表示部１９の電源供給は停止したまま、操作された行先階登録装置１１の表示部１９のみ電源供給が行われる。また、当該階で行先階登録装置１１の未操作時間が一定時間経過したかを確認するまでに例えば行先階登録装置１２が操作されても、ステップＳ１０では行先階登録装置１１〜１３の各々の未操作時間が判定されるので、当該階の最後に操作された行先階登録装置の未操作時間を待たずに、ステップＳ１１にて操作された行先階登録装置１１の表示部１９のみ電源供給が停止されるので（個別に電源管理がされるので）、フロアの混雑レベルが小さいときには省エネ機能の効果が高くなる。
【００３３】
このように、本実施の形態の群管理制御装置１７は、各フロアの混雑状況を判定し、混雑レベル（利用頻度）が高い状況では混雑レベルが高いフロアの行先階登録装置を使用できるように表示部への電源供給を行い、待ち時間を低減することができ、混雑レベルが低い状況では行先階登録装置の操作において表示制御が不要な表示部への電源供給を行わないことで、省エネ機能を維持することができる。
【００３４】
（２）他の実施の形態
なお上述の実施の形態においては、本発明を行先階登録装置５〜１６の表示部１９に適用するようにした場合について述べたが、本発明はこれに限らず、メモリ、コントローラ、通信装置、この他、行先階登録装置５〜１６における電源供給を要する種々の部品に広く適用することができる。
【００３５】
また上述の実施の形態においては、表示部１９をディスプレイで実現し、ディスプレイへの電源供給を制御する場合について述べたが、本発明はこれに限らず、ディスプレイの構成部品（例えばバックライト）への電源供給を制御するようにしてもよい。
【００３６】
また上述の実施の形態においては、フロアの混雑レベルに基づいて行先階登録装置５〜１６の表示部１９の電源供給を制御する場合について述べたが、本発明はこれに限らず、フロアを利用する単位時間当たりの利用者数に基づいて行先階登録装置５〜１６の表示部１９の電源供給を制御するようにしてもよい。この場合、群管理制御装置１７は、単位時間当たりの利用者数が、第１の閾値を超えた場合、混雑の度合いが「大」と判定し、第２の閾値以上第１の閾値以下である場合、混雑の度合いが「中」と判定し、第２の閾値より小さい場合、混雑の度合いが「小」と判定する。なお、単位時間当たりの利用者数は、過去のピーク値であってもよいし、所定期間の平均値であってもよいし、累積値であってもよいし、現在の利用者数であってもよい。
【００３７】
また上述の実施の形態においては、フロアの混雑レベルに基づいて行先階登録装置５〜１６の表示部１９の電源供給を制御する場合について述べたが、本発明はこれに限らず、フロアでの待ち時間に基づいて行先階登録装置５〜１６の表示部１９の電源供給を制御するようにしてもよい。この場合、群管理制御装置１７は、フロアでの待ち時間が、第１の閾値を超えた場合、混雑の度合いが「大」と判定し、第２の閾値以上第１の閾値以下である場合、混雑の度合いが「中」と判定し、第２の閾値より小さい場合、混雑の度合いが「小」と判定する。ここで、待ち時間は、例えば、一の利用者が行先階の登録を行ってから、当該行先階が割り当てられたエレベーターが到着するまでの時間、当該エレベーターのドアが閉まるまでの時間、または当該エレベーターが発車するまでの時間である。なお、フロアでの待ち時間は、過去のピーク値であってもよいし、所定期間の平均値であってもよいし、累積値であってもよいし、現在の待ち時間であってもよい。
【００３８】
また上述の実施の形態においては、群管理制御装置１７からの指示に基づいて行先階登録装置５〜１６の表示部１９の電源供給を制御する場合について述べたが、本発明はこれに限らず、群管理制御装置１７が行先階登録装置５〜１６に電源供給を行う構成を採用し、群管理制御装置１７が行先階登録装置５〜１６自体の電源供給を制御するようにしてもよい。
【００３９】
また上述の実施の形態においては、行先階登録部１８を入力ボタン、表示部１９をディスプレイとする構成の場合について述べたが、本発明はこれに限らず、行先階登録部１８がディスプレイに表示されるインターフェース（アイコン等）であり、行先階登録部１８および表示部１９が一体となって構成されていてもよいし、行先階登録部１８は、ＩＤカードの行先階の情報を読取可能なカードリーダーなどであってもよい。なお、行先階登録装置５〜１６は、壁掛式であってもよいし、自立式であってもよい。
【００４０】
また上述の実施の形態においては、フロアごとに全てのフロアについて定期処理が行われる場合について述べたが、本発明はこれに限らず、所定のフロア（混雑が相対的に多く発生するフロア、エントランス階、最上階など）について定期処理が行われるようにしてもよい。
【００４１】
また上述の実施の形態においては、各装置は、信号線で接続する場合について述べたが、本発明はこれに限らず、各装置は、ネットワークケーブルで接続されていてもよいし、無線で接続されるようにしてもよい。この場合、各装置は、通信装置（通信インターフェース）を備える。
【００４２】
上述した内容は、適宜に組み合わせて採用することができる。
【符号の説明】
【００４３】
１〜４……エレベーター号機、５〜１６……行先階登録装置、１７……群管理制御装置、１００……群管理エレベーターシステム
【図１】
0006745352.tif 000002
【図２】
0006745352.tif 000003
【図３】
0006745352.tif 000004